(57)【要約】  内部に流入したバラスト水を濾過処理して外部へ流出させる円筒状のフィルタ（２）をケーシング（１）内に配置したバラスト水処理装置であって、フィルタ（２）をその軸心を中心に回転させるフィルタ回転手段（３）と、フィルタ（２）の一次側に設けられ、フィルタ（２）の内周面に向かって開口する吸引ノズル（４）と、吸引ノズル（４）で吸引した洗浄汚水をケーシング（１）から外部へ排出する洗浄汚水排出手段（５）と、フィルタ（２）の二次側に設けられ、フィルタ（２）の外周面に向かって開口し、フィルタ（２）に向かって高圧流体を噴出する高圧流体噴出ノズル（４０）と、高圧流体噴出ノズル（４０）に高圧流体を供給する高圧流体供給手段（４１）を備えてなり、フィルタ（２）の洗浄を効率良く且つ効果的に行えるようにし、また、構成を簡単にし、製造やメンテナンスを容易にした。
2015068246.tif 000002
【特許請求の範囲】
【請求項１】
内部に流入したバラスト水を濾過処理して外部へ流出させる円筒状のフィルタをケーシング内に配置したバラスト水処理装置であって、
前記フィルタをその軸心を中心に回転させるフィルタ回転手段と、前記フィルタの一次側に設けられ、前記フィルタの内周面に向かって開口する吸引ノズルと、前記吸引ノズルで吸引した洗浄汚水を前記ケーシングから外部へ排出する洗浄汚水排出手段と、前記フィルタの二次側に設けられ、前記フィルタの外周面に向かって開口し、前記フィルタに向かって高圧流体を噴出する高圧流体噴出ノズルと、前記高圧流体噴出ノズルに高圧流体を供給する高圧流体供給手段を備えたことを特徴とするバラスト水処理装置。
【請求項２】
前記フィルタの二次側に設けられ、前記フィルタの外周面に向かって開口し、前記フィルタに向かって洗浄水を噴出する洗浄水噴出ノズルを備えたことを特徴する請求項１に記載のバラスト水処理装置。
【請求項３】
前記洗浄水噴出ノズルは、前記吸引ノズルと同周上に位置し、且つ、前記フィルタの回転方向に対向する方向に向かって前記吸引ノズルの前に位置するように配置されていることを特徴する請求項２に記載のバラスト水処理装置。
【請求項４】
前記フィルタの一次側と二次側の差圧を検出する差圧検出手段と、前記差圧検出手段により検出された差圧に基づき前記フィルタの回転数を制御する制御手段を備えたことを特徴とする請求項１乃至３のいずれか１に記載のバラスト水処理装置。
【請求項５】
前記フィルタの一次側と二次側の差圧を検出する差圧検出手段と、前記差圧検出手段により検出された差圧が所定圧に達したとき、バラスト水処理運転を停止して前記ケーシング内の水を排出し、前記高圧流体噴出ノズルから高圧流体を噴出するように制御する制御手段を備えたことを特徴とする請求項１乃至３のいずれか１に記載のバラスト水処理装置。
【請求項６】
前記ケーシング内に導入される被処理水の水質を計測する水質計測手段と、前記水質計測手段により計測された水質が所定水質に達したとき、バラスト水処理運転を停止して前記ケーシング内の水を排出し、前記高圧流体噴出ノズルから高圧流体を噴出するように制御する制御手段を備えたことを特徴とする請求項１乃至３のいずれか１に記載のバラスト水処理装置。
【請求項７】
濾過処理時間を計測する時間計測手段と、前記時間計測手段により計測された時間が所定時間に達したとき、バラスト水処理運転を停止して前記ケーシング内の水を排出し、前記高圧流体噴出ノズルから高圧流体を噴出するように制御する制御手段を備えたことを特徴とする請求項１乃至３のいずれか１に記載のバラスト水処理装置。
【請求項８】
バラスト水処理運転の運転回数を計数する計数手段と、前記計数手段により計数された運転回数が所定回数に達したとき、バラスト水処理運転を停止して前記ケーシング内の水を排出し、前記高圧流体噴出ノズルから高圧流体を噴出するように制御する制御手段を備えたことを特徴とする請求項１乃至３のいずれか１に記載のバラスト水処理装置。
【発明の詳細な説明】
【技術分野】
【０００１】
本発明は、内部に流入したバラスト水を濾過処理して外部へ流出させる円筒状のフィルタをケーシング内に配置したバラスト水処理装置に関する。
【背景技術】
【０００２】
タンカー等の船舶において、積み荷の原油等を降ろした後、再度目的地に向けて航行する際、航行中の船舶のバランスを取るため、通常船舶に設けられたバラストタンク内にバラスト水と呼ばれる水を貯留する。バラスト水は基本的に荷上港で取水されて、荷積港で排出されるため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。このバラスト水による海洋環境の破壊を防止するために、国際海事機関（ＩＭＯ）においては、バラスト水管理条約を締結するとともに、バラスト水排出基準として船外に排出されるバラスト水中に含まれる微生物の含有量を規制している。
このバラスト水排出基準では、プランクトンのサイズにより、５０μｍ以上のプランクトンは１０個体／ｍ３未満、１０〜５０μｍのプランクトンは１０個体／ｍｌ未満、とそれぞれ定められており、また、細菌類については、大腸菌類２５０ｃｆｕ／１００ｍｌ未満など定められている。【０００３】
このようなことから、バラスト水をバラストタンクに貯留する際に、バラスト水中の微生物を殺滅して無害化処理することが要求されている。バラスト水中の微生物を殺滅して無害化処理する手段として、バラスト水を濾過処理するフィルタをケーシング内に配置したバラスト水処理装置によるバラスト水の濾過と、紫外線照射装置によるバラスト水への紫外線照射とによる処理方式が知られている。この処理方式で用いられるバラスト水処理装置のフィルタにあっては、５０μｍ以上のプランクトンに対して９９．９９％の除去性能が要求されているため、極小目開の金網などによる濾過体を必要としている。そのため、目詰まりが激しく、恒常的なフィルタの洗浄が重要とされている。【０００４】
従来、フィルタの内面に堆積している異物を除去するものとして特許文献１には、フィルタ内面に対向した位置で開口する吸引ノズルと、吸引ノズルをフィルタ内面に沿ってフィルタの軸方向および周方向の両方へ移動させるノズル移動手段と、フィルタの外側にあって、吸引ノズルに対向する位置に配置され、逆洗水を吐出する逆洗ノズルと、逆洗ノズルを吸引ノズルに同期して同方向へ移動させる逆洗ノズル移動手段とを備えたろ過装置が記載されている。【０００５】
特許文献１に記載されたろ過装置によるフィルタの洗浄は、フィルタ内外の差圧が所定圧力以上になったら排泥弁を開き、ノズル移動手段と逆洗ノズル移動手段で吸引ノズルと逆洗ノズルを移動させながら、逆洗ノズルから逆洗水を吐出し、フィルタに堆積している懸濁物を洗浄水で除去し、吸引ノズルから排泥するようにして行われる。
【先行技術文献】
【特許文献】
【０００６】
【特許文献１】特開２００４−１４１７８５号公報
【発明の概要】
【発明が解決しようとする課題】
【０００７】
上記の特許文献１に記載されたろ過装置では、フィルタの洗浄は、フィルタ内外の差圧が所定圧力以上になったら行うので、差圧が所定圧力以上になるまでは洗浄は行われないことから、所定圧力値の設定によっては処理水量の低下を招くといった問題があった。
また、フィルタ内外の差圧のレベル変化と、吸引ノズルと逆洗ノズルがフィルタの軸方向および周方向の両方へ移動する回数とが関連づけられていないので、効率の良い洗浄が行えず、特に、バラスト水処理装置のように、水域によって汚れが異なる水の処理や同一水域でも時間によって汚れが異なる水の処理には適さないといった問題があった。【０００８】
また、洗浄にあっては、吸引ノズルと逆洗ノズルをフィルタ内面に沿って旋回させながらフィルタの軸方向に移動するように動作させるため洗浄完了までの時間が長く、フィルタ内外の差圧回復までの時間が長くかかるといった問題があった。
また、吸引ノズルと逆洗ノズルを同期して旋回させながら軸方向に移動させるため複雑な機構を必要とし、製造やメンテナンスに面倒な作業を要するといった問題があった。【０００９】
本発明の目的は、内部に流入したバラスト水を濾過処理して外部へ流出させる円筒状のフィルタの洗浄を効率良く且つ効果的に行えるようにし、また、構成を簡単にし、製造やメンテナンスを容易にしたバラスト水処理装置を提供することにある。
【課題を解決するための手段】
【００１０】
上記の目的を達成するために、請求項１に記載の発明は、内部に流入したバラスト水を濾過処理して外部へ流出させる円筒状のフィルタをケーシング内に配置したバラスト水処理装置であって、前記フィルタをその軸心を中心に回転させるフィルタ回転手段と、前記フィルタの一次側に設けられ、前記フィルタの内周面に向かって開口する吸引ノズルと、前記吸引ノズルで吸引した洗浄汚水を前記ケーシングから外部へ排出する洗浄汚水排出手段と、前記フィルタの二次側に設けられ、前記フィルタの外周面に向かって開口し、前記フィルタに向かって高圧流体を噴出する高圧流体噴出ノズルと、前記高圧流体噴出ノズルに高圧流体を供給する高圧流体供給手段を備えたことを特徴としているバラスト水処理装置である。【００１１】
請求項１に記載の発明によれば、前記フィルタの一次側に設けられた前記吸引ノズルが前記フィルタに体積した異物を吸引することにより、前記フィルタから異物を除去することができる。そして、バラスト水処理運転終了後、ケーシング内の水を排出し、前記フィルタを回転させながら前記高圧流体噴出ノズルから前記フィルタの外周面に高圧流体を噴出することにより、バラスト水処理運転で前記フィルタの内周面に堆積した異物を確実に剥離し除去することができる。【００１２】
請求項２に記載の発明は、前記フィルタの二次側に設けられ、前記フィルタの外周面に向かって開口し、前記フィルタに向かって洗浄水を噴出する洗浄水噴出ノズルを備えたことを特徴としている請求項１に記載のバラスト水処理装置である。【００１３】
請求項２に記載の発明によれば、バラスト水処理運転中に前記フィルタの二次側に設けられた前記洗浄水噴出ノズルが前記フィルタに向かって洗浄水を噴出することにより前記フィルタへ堆積した異物を剥離するので、前記フィルタに堆積した異物を効果的に除去することができる。【００１４】
請求項３に記載の発明は、前記洗浄水噴出ノズルは、前記吸引ノズルと同周上に位置し、且つ、前記フィルタの回転方向に対向する方向に向かって前記吸引ノズルの前に位置するように配置されていることを特徴としている請求項２に記載のバラスト水処理装置である。【００１５】
請求項３に記載の発明によれば、前記フィルタを回転させながら、前記フィルタの回転方向に対向する方向に向かって前記吸引ノズルの前に前記洗浄水噴出ノズルから前記フィルタの外周面に洗浄水を噴出することにより、前記フィルタの一次側に堆積した異物の効率のよい剥離が行え、そして、剥離した直後に前記吸引ノズルによる吸引が行われるので、異物を効果的に吸引除去することができる。【００１６】
請求項４に記載の発明は、前記フィルタの一次側と二次側の差圧を検出する差圧検出手段と、前記差圧検出手段により検出された差圧に基づき前記フィルタの回転数を制御する制御手段を備えたことを特徴としている請求項１乃至３のいずれか１に記載のバラスト水処理装置である。【００１７】
請求項４に記載の発明によれば、前記差圧検出手段により検出された差圧に基づいて前記フィルタの回転数を制御するので、差圧に応じた前記フィルタの回転数に対して単位時間あたりの前記洗浄水噴出ノズルの流体噴出長を変えることができ、前記フィルタの内周面に堆積している異物を短時間で効果的に除去することができるとともに、前記フィルタの必要以上の回転を抑えることができる。【００１８】
請求項５に記載の発明は、前記フィルタの一次側と二次側の差圧を検出する差圧検出手段と、前記差圧検出手段により検出された差圧が所定圧に達したとき、バラスト水処理運転を停止して前記ケーシング内の水を排出し、前記高圧流体噴出ノズルから高圧流体を噴出するように制御する制御手段を備えたことを特徴としている請求項１乃至３のいずれか１に記載のバラスト水処理装置である。【００１９】
請求項５に記載の発明によれば、前記差圧検出手段により検出された差圧が所定圧に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。【００２０】
請求項６に記載の発明は、前記ケーシング内に導入される被処理水の水質を計測する水質計測手段と、前記水質計測手段により計測された水質が所定水質に達したとき、バラスト水処理運転を停止して前記ケーシング内の水を排出し、前記高圧流体噴出ノズルから高圧流体を噴出するように制御する制御手段を備えたことを特徴としている請求項１乃至３のいずれか１に記載のバラスト水処理装置である。【００２１】
請求項６に記載の発明によれば、前記水質計測手段により計測された水質が所定水質に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。【００２２】
請求項７に記載の発明は、濾過処理時間を計測する時間計測手段と、前記時間計測手段により計測された時間が所定時間に達したとき、バラスト水処理運転を停止して前記ケーシング内の水を排出し、前記高圧流体噴出ノズルから高圧流体を噴出するように制御する制御手段を備えたことを特徴としている請求項１乃至３のいずれか１に記載のバラスト水処理装置である。【００２３】
請求項７に記載の発明によれば、前記時間計測手段により計測された時間が所定時間に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。【００２４】
請求項８に記載の発明は、バラスト水処理運転の運転回数を計数する計数手段と、前記計数手段により計数された運転回数が所定回数に達したとき、バラスト水処理運転を停止して前記ケーシング内の水を排出し、前記高圧流体噴出ノズルから高圧流体を噴出するように制御する制御手段を備えたことを特徴としている請求項１乃至３のいずれか１に記載のバラスト水処理装置である。【００２５】
請求項８に記載の発明によれば、前記計数手段により計数された運転回数が所定回数に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。
【発明の効果】
【００２６】
本発明に係るバラスト水処理装置によれば、バラスト水処理運転に用いるフィルタを確実に、しかも効果的に洗浄することができる。
【図面の簡単な説明】
【００２７】
【図１】本発明に係るバラスト水処理装置の実施の形態の一例を示す概略断面説明図である。
【図２】吸引ノズル配置の他例を示す斜視図である。
【図３】フィルタの一次側と二次側の差圧と洗浄水噴出ノズルへの洗浄水の供給との関係を示すグラフである。
【発明を実施するための形態】
【００２８】
以下、本発明に係るバラスト水処理装置の実施の形態の一例を図面を参照して詳細に説明する。
図１は本例の概略断面説明図、図２は吸引ノズル配置の他例を示す斜視図である。
【００２９】
本例のバラスト水処理装置は、円筒状のケーシング１内に配置され、内部に流入した被処理水を濾過して外部へ流出させる円筒状のフィルタ２と、フィルタ２を、その軸心を中心に回転させるフィルタ回転手段３と、フィルタ２の一次側に設けられ、フィルタ２の内周面に向かって開口する吸引ノズル４と、吸引ノズル４で吸引した洗浄汚水をケーシング１から外部へ排出する洗浄汚水排出手段５と、フィルタ２の二次側に設けられ、フィルタ２の外周面に向かって高圧流体を噴出する高圧流体噴出ノズル４０と、高圧流体噴出ノズル４０に高圧流体を加圧供給する高圧流体供給手段４１と、フィルタ２の二次側に設けられ、フィルタ２の外周面に向かって洗浄水を噴出する洗浄水噴出ノズル６と、洗浄水噴出ノズル６に洗浄水を加圧供給する洗浄水供給手段７と、フィルタ２の一次側と二次側の差圧を検出する差圧検出手段８と、ケーシング１内に導入される被処理水の水質を計測する水質計測手段４４と、濾過処理時間を計測する時間計測手段４５と、バラスト水処理運転の運転回数を計数する計数手段４６とを備えており、さらに、差圧検出手段８により検出された差圧が所定圧に達したとき、また、水質計測手段４４で計測された水質が所定水質に達したとき、また、時間計測手段４５で計測された時間が所定時間に達したとき、また、計数手段４６で計数されたバラスト水処理運転の運転回数が所定回数に達したとき、バラスト水処理運転を停止してケーシング１内の水を排出し、高圧流体噴出ノズル４０から高圧流体を噴出するように制御する制御機能と、差圧検出手段８により検出された差圧に基づき、フィルタ２の回転数を制御する制御機能を有する制御手段９を備えている。
【００３０】
詳細には、ケーシング１は、円筒状に形成され、上部開口部が蓋部１０で、下部開口部が底部１１で密閉されている。蓋部１０には、ケーシング１内のエアを抜くエア抜き弁１２が設けられている。
ケーシング１内に配置された円筒状のフィルタ２は、その上部開口部が上閉止部１３で密閉され、下部開口部が下閉止部１４および後述する下部回転軸部材１６とでケーシング１とフィルタ２の間に形成される処理水流出空間２７側と隔てられている。フィルタ２にあっては、多数の穴を設けた２枚の金属薄板を円筒形に形成した支持体の間に円筒状に形成した金網などの濾過体を挟んだ構成が好ましいが、多数の穴を設けた金属薄板を円筒形に形成した支持体の外周面に濾過体を設けた構成であってもよい。
このように構成されたフィルタ２を回転させるフィルタ回転手段３は、フィルタ２の上閉止部１３と下閉止部１４に、フィルタ２の軸心位置に軸心方向に突設して設けた上部回転軸部材１５と下部回転軸部材１６と、上部回転軸部材１５を回転させるモータ１７とで構成されている。
【００３１】
上部回転軸部材１５はケーシング１の蓋部１０を貫通し、シーリングされた軸受部材１８を介して蓋部１０に回転自在に且つ液密に支持され、下部回転軸部材１６はケーシング１の底部１１を貫通し、シーリングされた軸受部材１９を介して底部１１に回転自在に且つ液密に支持されている。
下部回転軸部材１６はフィルタ２内と連通する管状体となっており、ケーシング１の底部１１からケーシング１の外に突出する下部回転軸部材１６にケーシング１の被処理水導入口２０が接続されている。被処理水導入口２０には、被処理水導入路２１が接続されている。被処理水導入路２１には、被処理水を圧送するポンプ２２と、ポンプ２２の下流側に位置して開閉弁２３が設けられ、開閉弁２３の下流側の被処理水導入路２１には、排水路２４が接続され、排水路２４には開閉弁２５が設けられている。
ケーシング１の側部には処理水流出口２６が設けられており、被処理水導入路２１を流れ被処理水導入口２０から導入された被処理水は下部回転軸部材１６を通ってフィルタ２内に入り、フィルタ２を通過し濾過処理されてケーシング１とフィルタ２の間に形成される処理水流出空間２７に入り、処理水流出口２６から流出するようになっている。
【００３２】
また、吸引ノズル４と、吸引ノズル４で吸引した洗浄汚水をケーシング１から外部へ排出する洗浄汚水排出手段５とにあって、まず、洗浄汚水排出手段５から説明すると、洗浄汚水排出手段５は、吸引ノズル４と接続し、吸引ノズル４で吸引した洗浄汚水が集合する洗浄汚水集合管２８と、洗浄汚水集合管２８に接続し、洗浄汚水を外部へ排出する洗浄汚水排出管２９と、洗浄汚水排出管２９に備えた開閉弁３０とで構成されている。
洗浄汚水集合管２８は、フィルタ２の軸心に配置され、上端部が閉鎖し、下端部が開口しており、上端部はフィルタ２の上閉止部１３の中央に設けられた穴に軸受部材３１を介して回転自在に嵌合している。また、洗浄汚水集合管２８の下端部はフィルタ２の下閉止部１４の下部回転軸部材１６内を、フィルタ２の回転を妨げないように通り、ケーシング１の被処理水導入口２０に固定されて支持されている。洗浄汚水集合管２８の下端部には洗浄汚水を外部へ排出する洗浄汚水排出管２９が接続されており、洗浄汚水排出管２９には、運転中は常時開いている開閉弁３０が備えられている。
【００３３】
洗浄汚水集合管２８と接続しフィルタ２の内周面に向かって開口する吸引ノズル４は、フィルタ２の軸方向全域から吸引可能であることが好ましいが、その構成は特に限定されるものではない。例えば、吸引ノズル４を、フィルタ２の軸方向に直線状および／または周方向に角度を変えて複数配置することができる。周方向に角度を変えて複数配置される吸引ノズル４は、同じ高さに配置しても、或いは高さを変えて配置してもよい。
本例では、複数の吸引ノズル４が用いられ、フィルタ２の軸方向に直線状に配置されて洗浄汚水集合管２８と接続している。そして、上下に配置されている吸引ノズル４の間の未吸引部を無くすため、本例では、フィルタ２の軸方向に２列に配置され、１方の列の吸引ノズル４の間に他方の列の吸引ノズル４が位置している。具体的には、洗浄汚水集合管２８の左右側に、高さ方向に交互に配置されている。
吸引ノズル４をフィルタ２の軸方向に配置する他例として、図２に示すように、複数の吸引ノズル４をフィルタ２の軸方向に、吸引ノズル４の間に未吸引部が残らない間隔で螺旋状に配置してもよい。また、フィルタ２の内周面に対向した位置でフィルタ２に向かって開口している吸引ノズル４の開口部は、フィルタ２の内周面に摺動可能に密着している。
【００３４】
フィルタ２の二次側に設けられ、フィルタ２の外周面に向かって開口する高圧流体噴出ノズル４０は、フィルタ２の軸方向全域に噴出可能であることが好ましいが、その構成は特に限定されるものではない。例えば、高圧流体噴出ノズル４０を、フィルタ２の軸方向に直線状および／または周方向に角度を変えて複数配置することができる。周方向に角度を変えて複数配置される高圧流体噴出ノズル４０は、同じ高さに配置しても、或いは高さを変えて配置してもよい。
【００３５】
高圧流体噴出ノズル４０に供給する高圧流体は、本例では、清浄水が使用されている。清浄水としては、フィルタ２で処理された処理水、バラストタンク内に貯留された水、他の用途で使用する目的で貯留されている生活用水や飲料水などが使用される。
高圧流体となる清浄水を供給する高圧流体供給手段４１にあっては、タンク３９と高圧流体噴出ノズル４０を清浄水供給路４２で接続し、タンク３９に貯めてある清浄水をポンプ４３で各高圧流体噴出ノズル４０へ圧送するようになっている。
なお、本例では高圧流体噴出ノズル４０に供給する高圧流体として清浄水が使用されているが、高圧流体が高圧エアであってもよい。この場合、高圧流体供給手段４１は、エアコンプレッサ（図示しない。）により高圧エアを高圧流体噴出ノズル４０に供給する。また、高圧流体が水蒸気であってもよい。
【００３６】
フィルタ２に向かって洗浄水を噴出する洗浄水噴出ノズル６は、ケーシング１の側部に設けられており、ケーシング１内に開口している。
洗浄水噴出ノズル６は、フィルタ２の軸方向全域に洗浄水を噴出できることが好ましいが、その構成は特に限定されるものではない。例えば、洗浄水噴出ノズル６を、フィルタ２の軸方向に直線状および／または周方向に角度を変えて複数配置することができる。周方向に角度を変えて複数配置される洗浄水噴出ノズル６は、同じ高さに配置しても、或いは高さを変えて配置してもよい。
本例では、洗浄水噴出ノズル６は、複数配置された各吸引ノズル４と同周上に位置し、且つ、フィルタ２の回転方向に対向する方向に向かって、吸引ノズル４の前に位置するように設けられているが、各吸引ノズル４と対向するそれぞれの位置に設けられていてもよく、または、フィルタ２の回転方向に対向する方向に向かって、吸引ノズル４の後に位置するように設けられていてもよい。
【００３７】
洗浄水噴出ノズル６に洗浄水を加圧供給する洗浄水供給手段７は、本例では、洗浄水としてフィルタ２で処理された処理水が使用され、フィルタ２の処理水流出口２６に接続されている処理水路３２の途中に洗浄水供給路３３の一端が接続され、洗浄水供給路３３の他端が各洗浄水噴出ノズル６に接続され、フィルタ２で処理された処理水が洗浄水供給路３３を通って各洗浄水噴出ノズル６に供給されるようになっている。洗浄水供給路３３には、処理水を各洗浄水噴出ノズル６に圧送するポンプ３４と、ポンプ３４の上流側に開閉弁３５が設けられている。また、本例ではポンプ３４の下流側に圧力計３６が設けられているが、必ずしも必要とされるものではない。
なお、本例では洗浄水としてフィルタ２で処理された処理水が使用されているが、バラストタンク内に貯留された水、他の用途で使用する目的で貯留されている生活用水や飲料水などを洗浄水として使用してもよい。
【００３８】
フィルタ２の一次側と二次側の差圧を検出する差圧検出手段８は、フィルタ２内と処理水流出空間２７に設けた圧力センサ３７，３８でフィルタ２の一次側と二次側の圧力を検知し、フィルタ２の一次側と二次側の差圧を検出するようになっている。
フィルタ２の一次側と二次側の差圧はフィルタ２の汚れ具合を判断でき、差圧が大きい場合はフィルタ２への異物の堆積量が多くなっていることを示し、差圧が小さい場合はフィルタ２が初期状態に近い状態であることを示している。
【００３９】
ケーシング１内に導入される被処理水の水質を計測する水質計測手段４４は、本例では被処理水の濁度を計測する濁度計が使用され、被処理水導入路２１に設けられている。被処理水の濁度はフィルタ２の汚れ具合を判断でき、濁度が高い場合はフィルタ２への異物の堆積量が多くなっていることを示し、濁度が低い場合はフィルタ２が初期状態に近い状態であることを示している。
【００４０】
濾過処理時間を計測する時間計測手段４５は、本例ではタイマーが使用される。計測した時間の長さでフィルタ２の汚れ具合を判断でき、時間が長い場合はフィルタ２への異物の堆積量が多くなっていることを示し、時間が短い場合はフィルタ２が初期状態に近い状態であることを示している。
【００４１】
バラスト水処理運転の運転回数を計数する計数手段４６は、本例ではカウンターが使用される。計数した回数でフィルタ２の汚れ具合を判断でき、回数が多い場合はフィルタ２への異物の堆積量が多くなっていることを示し、回数が少ない場合はフィルタ２が初期状態に近い状態であることを示している。
【００４２】
制御手段９は、差圧検出手段８により検出された差圧が所定圧に達したとき、また、水質計測手段４４で計測された水質が所定水質に達したとき、また、時間計測手段４５で計測された時間が所定時間に達したとき、また、計数手段４６で計数された運転回数が所定回数に達したとき、バラスト水処理運転を停止してケーシング１内の水を排出し、フィルタ２を回転させながら高圧流体噴出ノズル４０から高圧流体を噴出するように制御する制御機能と、差圧検出手段８により検出された差圧に基づき、フィルタ２の回転数を制御する制御機能を有している。
【００４３】
ここでいう所定圧にあっては、バラスト水処理運転中にあって、後述する洗浄水噴出ノズル６からフィルタ２の外周面に洗浄水を噴出しても、フィルタ２へ堆積した異物を剥離させることができないと判断される差圧を所定圧として設定している。
また、所定水質にあっては、ケーシング１内に導入される被処理水の水質により推測できるフィルタ２の内周面に堆積する異物の堆積量が、吸引ノズル４の吸引では除去しきれないと判断される水質を所定水質として設定されている。水質計測手段４４として、例えば、被処理水の濁度を計測する濁度計が使用される。
また、所定時間にあっては、濾過処理時間により推測できるフィルタ２の内周面に堆積する異物の堆積量が、吸引ノズル４の吸引では除去しきれないと判断される時間を所定時間として設定されている。
また、所定回数にあっては、バラスト水処理運転の運転回数により推測できるフィルタ２の内周面に堆積する異物の堆積量が、吸引ノズル４の吸引では除去しきれないと判断される回数を所定回数として設定されている。
【００４４】
上述した差圧検出手段８により検出された差圧が所定圧に達したとき、また、水質計測手段４４で計測された水質が所定水質に達したとき、また、時間計測手段４５で計測された時間が所定時間に達したとき、また、計数手段４６で計数された運転回数が所定回数に達したとき、バラスト水処理運転を停止してケーシング１内の水を排出し、フィルタ２を回転させながら高圧流体噴出ノズル４０から高圧流体を噴出するように制御する各制御機能は、同時に或いは選択して機能させることができるようになっている。
【００４５】
また、制御手段９が有する差圧検出手段８により検出された差圧に基づき、フィルタ２の回転数を制御する制御機能は、本例では、制御手段９に初期差圧が記憶され、初期差圧に対して、許容される差圧が設定（ΔＰ１）され、ΔＰ１以上で何段階かに差圧が設定されており、その差圧レベルに応じてフィルタ２の回転数を変更できるようになっている。
この制御機能の一例として、差圧を増加する方向に向かってΔＰ１、ΔＰ２、ΔＰ３と段階的に設定し、この設定された差圧に対応してフィルタ２の回転数を増加させる方向に向かってＮ１、Ｎ２、Ｎ３、Ｎ４と段階的に設定し、差圧がΔＰ１以下の場合はフィルタ２の回転数がＮ１に、差圧がΔＰ１を超えたら回転数がＮ２に、差圧がΔＰ２を超えたら回転数がＮ３に、差圧がΔＰ３を超えたら回転数がＮ４になるように制御する。
また、他例として、差圧がΔＰ１以下の場合はフィルタ２の回転を停止させ、差圧がΔＰ１を超えたら回転数がＮ１に、差圧がΔＰ２を超えたら回転数がＮ２に、差圧がΔＰ３を超えたら回転数がＮ３になるように制御してもよい。
【００４６】
さらに、本例では、制御手段９は、差圧検出手段８により検出された差圧が第二所定圧に達したとき、洗浄水噴出ノズル６から洗浄水を噴出するように制御できる制御機能と、検出された差圧に応じて、洗浄水噴出ノズル６からの洗浄水の噴出圧力を制御する機能を有している。
ここでいう第二所定圧にあっては、フィルタ２への異物の堆積量が吸引ノズル４の吸引では除去しきれないと判断される差圧を第二所定圧として設定されている。
本例では、初期差圧が記憶され、初期差圧に対して、図３に示すように、許容される差圧が設定（ΔＰ１）され、ΔＰ１以上で何段階かに差圧が設定されており、ΔＰ３を所定圧として設定して差圧ΔＰ３を超えたら洗浄水噴出ノズル６への洗浄水の供給を開始し、差圧ＬがΔＰ３以下に戻ったら供給を停止するように制御される。
また、洗浄水噴出ノズル６からの洗浄水の噴出圧力は、差圧ΔＰ３を超えた差圧に応じて高くなるように設定されている。
【００４７】
このように構成されたバラスト水処理装置では、洗浄汚水集合管２８と接続する吸引ノズル４は、複数の吸引ノズル４が用いられ、吸引ノズル４の開口部はフィルタ２の内周面に摺動可能に密着した状態で、フィルタ２の軸方向に直線状に配置されて洗浄汚水集合管２８と接続しており、上下に配置されている吸引ノズル４は、各吸引ノズル４間の未吸引部を無くすため、洗浄汚水集合管２８の左右側に、高さ方向に交互に配置されているので、フィルタ２の１回の回転でフィルタ２の内周面全域からの吸引が行えることになる。
そして、洗浄汚水排出管２９に備えられた開閉弁３０は、運転中は常時開いており、開閉弁３０の二次側の圧力は大気圧に開放されているので、洗浄汚水集合管２８内の圧力がフィルタ２の二次側の圧力よりも低くなり、フィルタ２の二次側にある処理水が洗浄汚水となって洗浄汚水集合管２８内に流れ、洗浄汚水排出管２９から外部へ排出される。
【００４８】
また、フィルタ２に向かって高圧流体を噴出する高圧流体噴出ノズル４０は、複数の高圧流体噴出ノズル４０が用いられ、フィルタ２の軸方向全域に噴出可能であるので、フィルタ２の１回の回転でフィルタ２の外周面全域に高圧流体を噴出することになり、フィルタ２の一次側に堆積した異物の効率のよい剥離が行える。
【００４９】
また、フィルタ２に向かって洗浄水を噴出する洗浄水噴出ノズル６は、複数の洗浄水噴出ノズル６が用いられ、フィルタ２の軸方向全域に洗浄水を噴出できるように配置され、複数配置された各吸引ノズル４と同周上に位置し、且つ、フィルタ２の回転方向に対向する方向に向かって、吸引ノズル４の前に位置するように設けられているので、フィルタ２の１回の回転でフィルタ２の外周面全域に洗浄水を噴出することになり、フィルタ２の一次側に堆積した異物の効率のよい剥離が行え、そして、剥離した直後に吸引ノズル４による吸引が行われるので洗浄水噴出ノズル６から噴出した洗浄水でフィルタ２から剥離した異物が吸引ノズル４により効果的に吸引される。
【００５０】
そして、洗浄汚水排出管２９に備えられた開閉弁３０は、運転中は常時開いており、開閉弁３０の二次側の圧力は大気圧に開放されているので、洗浄汚水集合管２８内の圧力がフィルタ２の二次側の圧力よりも低くなり、フィルタ２の二次側にある処理水および洗浄水噴出ノズル６から噴出した洗浄水が洗浄汚水となって洗浄汚水集合管２８内に流れ、洗浄汚水排出管２９から外部へ排出される。
【００５１】
バラスト水処理の運転中にあっては、図３に示すように、圧力センサ３７，３８でフィルタ２の一次側と二次側の圧力が常に検知され、差圧検出手段８により検出されたフィルタ２の一次側と二次側の差圧Ｌが所定圧として設定された差圧ΔＰ３に達したとき、さらに詳細には、ΔＰ３を超えたら洗浄水噴出ノズル６への洗浄水の供給を開始して洗浄水噴出ノズル６から洗浄水を噴出させ、差圧ＬがΔＰ３以下に戻ったら供給を停止し、洗浄水噴出ノズル６から洗浄水の噴出を停止させる。そして、洗浄水噴出ノズル６から洗浄水が噴出しても、差圧ＬがΔＰ３以下にならず、さらに上昇した場合は、差圧ΔＰ３を超えた差圧に応じて洗浄水噴出ノズル６からの洗浄水の噴出圧力を高くする。
このように、差圧検出手段８により検出された差圧が所定圧に達するまでは、洗浄水噴出ノズル６から洗浄水を噴出しないので、洗浄水として使用する処理水の排出量の無駄を効果的に抑えられ、そして、洗浄水噴出ノズル６から洗浄水が噴出しても、差圧が低下せず、さらに上昇した場合は、第二所定圧を超えた差圧に応じて洗浄水噴出ノズル６からの洗浄水の噴出圧力を高くするので、フィルタ２の一次側に堆積した異物をより確実に剥離することができる。
そして、洗浄水噴出ノズル６から洗浄水が噴出しても、差圧が低下せず、さらに上昇して差圧が所定圧に達したとき、バラスト水処理運転を停止してケーシング１内の水を排出し、フィルタ２を回転させながら高圧流体噴出ノズル４０から高圧流体を噴出する。
【００５２】
このように、差圧検出手段８により検出された差圧が所定圧に達したとき、バラスト水処理運転を停止してケーシング１内の水を排出し、高圧流体噴出ノズル４０から高圧流体を噴出するので、バラスト水処理運転中における洗浄水の噴出ではフィルタ２から剥離できない程に堆積した異物を、フィルタ２から確実に剥離し除去することができる。
【００５３】
また、本例では、水質計測手段４４により計測された水質が所定水質に達したとき、バラスト水処理運転を停止してケーシング１内の水を排出し、高圧流体噴出ノズル４０から高圧流体を噴出するので、バラスト水処理運転中における洗浄水の噴出ではフィルタ２から剥離できない程に堆積した異物を、フィルタ２から確実に剥離し除去することができる。
【００５４】
また、本例では、時間計測手段４５により計測された時間が所定時間に達したとき、バラスト水処理運転を停止してケーシング１内の水を排出し、高圧流体噴出ノズル４０から高圧流体を噴出するので、バラスト水処理運転中における洗浄水の噴出ではフィルタ２から剥離できない程に堆積した異物を、フィルタ２から確実に剥離し除去することができる。
【００５５】
また、本例では、計数手段４６により計数された運転回数が所定回数に達したとき、バラスト水処理運転を停止してケーシング１内の水を排出し、高圧流体噴出ノズル４０から高圧流体を噴出するので、バラスト水処理運転中における洗浄水の噴出ではフィルタ２から剥離できない程に堆積した異物を、フィルタ２から確実に剥離し除去することができる。
【００５６】
また、本例では、差圧検出手段８により検出された差圧に基づき、フィルタ２の回転数を制御する機能を有している。差圧検出手段８で検出された差圧に基づいて、検出した差圧を予め設定されている差圧レベルに対応させ、フィルタ２の回転数を対応する差圧レベルに応じた回転数に変更するといった具合にフィルタ２の回転数の調整を行う。
本例では、差圧検出手段８により検出された差圧がΔＰ１を超え、さらに、差圧が増加する場合は、段階的に設定された差圧に応じてフィルタ２の回転数を段階的に増加させ、差圧が低下した場合は、設定された差圧に対応してフィルタ２の回転数を低下させる。差圧がΔＰ１以下に戻った場合はフィルタ２の回転をΔＰ１以下の場合に設定された回転数に戻し、或いはフィルタ２の回転を停止させるようにフィルタ２の回転数の調整を行うので、フィルタ２の内周面に堆積している異物の量が多い場合はフィルタ２の回転数を増加させることにより単位時間あたりの吸引ノズル４の吸引長、洗浄水噴出ノズル６の洗浄水噴出長が長くなり、そして、少ない場合はフィルタ２の回転数を低下させることにより単位時間あたりの吸引長、洗浄水噴出長が短くなる。
【００５７】
このように、フィルタ２の汚れ具合をフィルタ２の一次側と二次側の差圧で判断し、差圧に基づいてフィルタ２の回転数を制御するので、汚れ具合に応じたフィルタ２の回転数に対して単位時間あたりの吸引ノズル４の吸引長、洗浄水噴出ノズル６の洗浄水噴出長を変えることができ、フィルタ２の内周面に堆積している異物を短時間で効果的に除去することができるとともに、フィルタ２の必要以上の回転を抑えることができる。
【００５８】
本発明は、その精神又は主要な特徴から逸脱することなく、他のいろいろな形で実施することができる。そのため、上記の実施形態若しくは実施例は、あらゆる点で単なる例示に過ぎず、限定的に解釈してはならない。本発明の範囲は、請求の範囲によって示すものであって、明細書本文には何ら拘束されない。更に、請求の範囲の均等範囲に属する変形や変更は、全て本発明の範囲内のものである。
【符号の説明】
【００５９】
１  ケーシング
２  フィルタ
３  フィルタ回転手段
４  吸引ノズル
５  洗浄汚水排出手段
６  洗浄水噴出ノズル
８  差圧検出手段
９  制御手段
２０  被処理水導入口
２６  処理水流出口
２８  洗浄汚水集合管
３７、３８  圧力センサ
４０  高圧流体噴出ノズル
４１  高圧流体供給手段
４４  水質計測手段
４５  時間計測手段
４６  計数手段
【図１】
2015068246.tif 000003
【図２】
2015068246.tif 000004
【図３】
2015068246.tif 000005
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
内部に流入したバラスト水を濾過処理して外部へ流出させる円筒状のフィルタをケーシング内に配置したバラスト水処理装置であって、
前記フィルタをその軸心を中心に回転させるフィルタ回転手段と、
前記フィルタの一次側に設けられ、前記フィルタの内周面に向かって開口する吸引ノズルと、
前記吸引ノズルで吸引した洗浄汚水を前記ケーシングから外部へ排出する洗浄汚水排出手段と、
前記フィルタの二次側に設けられ、前記フィルタの外周面に向かって開口し、前記フィルタに向かって高圧流体を噴出する高圧流体噴出ノズルと、
前記高圧流体噴出ノズルに高圧流体を供給する高圧流体供給手段と、
前記フィルタの一次側と二次側の差圧が所定圧に達したとき、または、バラスト水処理運転の運転回数が所定回数に達したとき、バラスト水処理運転を停止して前記ケーシング内の水を排出し、前記高圧流体噴出ノズルから高圧流体を噴出するように制御する制御手段と、を備えた
ことを特徴とするバラスト水処理装置。
【請求項２】
前記高圧流体噴出ノズルから噴出させる高圧流体は、清浄水、高圧エアまたは水蒸気である
ことを特徴とする請求項１に記載のバラスト水処理装置。
【請求項３】
複数の前記高圧流体噴出ノズルによって、前記フィルタの軸方向全域に噴出可能である
ことを特徴とする請求項１または２に記載のバラスト水処理装置。
【請求項４】
前記フィルタの二次側に設けられ、前記フィルタの外周面に向かって開口し、前記フィルタに向かって洗浄水を噴出する洗浄水噴出ノズルを備え、
前記高圧流体噴出ノズルによる高圧流体の噴出圧力は、前記洗浄水噴出ノズルによる洗浄水の噴出圧力よりも高い
ことを特徴とする請求項１から３のいずれか１項に記載のバラスト水処理装置。
【手続補正書】
【提出日】平成28年2月19日(2016.2.19)
【手続補正１】
【補正対象書類名】明細書
【補正対象項目名】００１０
【補正方法】変更
【補正の内容】
【００１０】
上記の目的を達成するために、本願の発明は、内部に流入したバラスト水を濾過処理して外部へ流出させる円筒状のフィルタをケーシング内に配置したバラスト水処理装置であって、前記フィルタをその軸心を中心に回転させるフィルタ回転手段と、前記フィルタの一次側に設けられ、前記フィルタの内周面に向かって開口する吸引ノズルと、前記吸引ノズルで吸引した洗浄汚水を前記ケーシングから外部へ排出する洗浄汚水排出手段と、前記フィルタの二次側に設けられ、前記フィルタの外周面に向かって開口し、前記フィルタに向かって高圧流体を噴出する高圧流体噴出ノズルと、前記高圧流体噴出ノズルに高圧流体を供給する高圧流体供給手段と、前記フィルタの一次側と二次側の差圧が所定圧に達したとき、または、バラスト水処理運転の運転回数が所定回数に達したとき、バラスト水処理運転を停止して前記ケーシング内の水を排出し、前記高圧流体噴出ノズルから高圧流体を噴出するように制御する制御手段と、を備えたことを特徴とするバラスト水処理装置である。
【手続補正２】
【補正対象書類名】明細書
【補正対象項目名】００１１
【補正方法】変更
【補正の内容】
【００１１】
この発明によれば、前記フィルタの一次側に設けられた前記吸引ノズルが前記フィルタに体積した異物を吸引することにより、前記フィルタから異物を除去することができる。そして、バラスト水処理運転終了後、ケーシング内の水を排出し、前記フィルタを回転させながら前記高圧流体噴出ノズルから前記フィルタの外周面に高圧流体を噴出することにより、バラスト水処理運転で前記フィルタの内周面に堆積した異物を確実に剥離し除去することができる。また、前記差圧検出手段により検出された差圧が所定圧に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。さらに、前記計数手段により計数された運転回数が所定回数に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。
【手続補正３】
【補正対象書類名】明細書
【補正対象項目名】００１２
【補正方法】変更
【補正の内容】
【００１２】
別の発明は、前記フィルタの二次側に設けられ、前記フィルタの外周面に向かって開口し、前記フィルタに向かって洗浄水を噴出する洗浄水噴出ノズルを備えたことを特徴としている。
【手続補正４】
【補正対象書類名】明細書
【補正対象項目名】００１３
【補正方法】変更
【補正の内容】
【００１３】
この発明によれば、バラスト水処理運転中に前記フィルタの二次側に設けられた前記洗浄水噴出ノズルが前記フィルタに向かって洗浄水を噴出することにより前記フィルタへ堆積した異物を剥離するので、前記フィルタに堆積した異物を効果的に除去することができる。
【手続補正５】
【補正対象書類名】明細書
【補正対象項目名】００１４
【補正方法】変更
【補正の内容】
【００１４】
別の発明は、前記洗浄水噴出ノズルは、前記吸引ノズルと同周上に位置し、且つ、前記フィルタの回転方向に対向する方向に向かって前記吸引ノズルの前に位置するように配置されていることを特徴としている。
【手続補正６】
【補正対象書類名】明細書
【補正対象項目名】００１５
【補正方法】変更
【補正の内容】
【００１５】
この発明によれば、前記フィルタを回転させながら、前記フィルタの回転方向に対向する方向に向かって前記吸引ノズルの前に前記洗浄水噴出ノズルから前記フィルタの外周面に洗浄水を噴出することにより、前記フィルタの一次側に堆積した異物の効率のよい剥離が行え、そして、剥離した直後に前記吸引ノズルによる吸引が行われるので、異物を効果的に吸引除去することができる。
【手続補正７】
【補正対象書類名】明細書
【補正対象項目名】００１６
【補正方法】変更
【補正の内容】
【００１６】
別の発明は、前記フィルタの一次側と二次側の差圧を検出する差圧検出手段と、前記差圧検出手段により検出された差圧に基づき前記フィルタの回転数を制御する制御手段を備えたことを特徴としている。
【手続補正８】
【補正対象書類名】明細書
【補正対象項目名】００１７
【補正方法】変更
【補正の内容】
【００１７】
この発明によれば、前記差圧検出手段により検出された差圧に基づいて前記フィルタの回転数を制御するので、差圧に応じた前記フィルタの回転数に対して単位時間あたりの前記洗浄水噴出ノズルの流体噴出長を変えることができ、前記フィルタの内周面に堆積している異物を短時間で効果的に除去することができるとともに、前記フィルタの必要以上の回転を抑えることができる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
別の発明は、前記ケーシング内に導入される被処理水の水質を計測する水質計測手段と、前記水質計測手段により計測された水質が所定水質に達したとき、バラスト水処理運転を停止して前記ケーシング内の水を排出し、前記高圧流体噴出ノズルから高圧流体を噴出するように制御する制御手段を備えたことを特徴としている。
【手続補正１２】
【補正対象書類名】明細書
【補正対象項目名】００２１
【補正方法】変更
【補正の内容】
【００２１】
この発明によれば、前記水質計測手段により計測された水質が所定水質に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。
【手続補正１３】
【補正対象書類名】明細書
【補正対象項目名】００２２
【補正方法】変更
【補正の内容】
【００２２】
別の発明は、濾過処理時間を計測する時間計測手段と、前記時間計測手段により計測された時間が所定時間に達したとき、バラスト水処理運転を停止して前記ケーシング内の水を排出し、前記高圧流体噴出ノズルから高圧流体を噴出するように制御する制御手段を備えたことを特徴としている。
【手続補正１４】
【補正対象書類名】明細書
【補正対象項目名】００２３
【補正方法】変更
【補正の内容】
【００２３】
この発明によれば、前記時間計測手段により計測された時間が所定時間に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
内部に流入したバラスト水を濾過処理して外部へ流出させる円筒状のフィルタをケーシング内に配置したバラスト水処理装置であって、
前記フィルタをその軸心を中心に回転させるフィルタ回転手段と、
前記フィルタの一次側に設けられ、前記フィルタの内周面に向かって開口する吸引ノズルと、
前記吸引ノズルで吸引した洗浄汚水を前記ケーシングから外部へ排出する洗浄汚水排出手段と、
前記フィルタの二次側に設けられ、前記フィルタの外周面に向かって開口し、前記フィルタに向かって高圧流体を噴出する高圧流体噴出ノズルと、
前記高圧流体噴出ノズルに高圧流体を供給する高圧流体供給手段と、
前記フィルタの一次側と二次側の差圧が所定圧に達したとき、バラスト水処理運転を停止して前記ケーシング内の水を排出し、前記高圧流体噴出ノズルから高圧流体を噴出するように制御する制御手段と、を備えたことを特徴とするバラスト水処理装置。
【請求項２】
前記高圧流体噴出ノズルから噴出させる高圧流体は、清浄水、高圧エアまたは水蒸気であることを特徴とする請求項１に記載のバラスト水処理装置。
【請求項３】
複数の前記高圧流体噴出ノズルによって、前記フィルタの軸方向全域に噴出可能であることを特徴とする請求項１または２に記載のバラスト水処理装置。
【請求項４】
前記フィルタの二次側に設けられ、前記フィルタの外周面に向かって開口し、前記フィルタに向かって洗浄水を噴出する洗浄水噴出ノズルを備え、
前記高圧流体噴出ノズルによる高圧流体の噴出圧力は、前記洗浄水噴出ノズルによる洗浄水の噴出圧力よりも高いことを特徴とする請求項１から３のいずれか１項に記載のバラスト水処理装置。
【手続補正２】
【補正対象書類名】明細書
【補正対象項目名】００１０
【補正方法】変更
【補正の内容】
【００１０】
上記の目的を達成するために、本願の発明は、内部に流入したバラスト水を濾過処理して外部へ流出させる円筒状のフィルタをケーシング内に配置したバラスト水処理装置であって、前記フィルタをその軸心を中心に回転させるフィルタ回転手段と、前記フィルタの一次側に設けられ、前記フィルタの内周面に向かって開口する吸引ノズルと、前記吸引ノズルで吸引した洗浄汚水を前記ケーシングから外部へ排出する洗浄汚水排出手段と、前記フィルタの二次側に設けられ、前記フィルタの外周面に向かって開口し、前記フィルタに向かって高圧流体を噴出する高圧流体噴出ノズルと、前記高圧流体噴出ノズルに高圧流体を供給する高圧流体供給手段と、前記フィルタの一次側と二次側の差圧が所定圧に達したとき、バラスト水処理運転を停止して前記ケーシング内の水を排出し、前記高圧流体噴出ノズルから高圧流体を噴出するように制御する制御手段と、を備えたことを特徴とするバラスト水処理装置である。
【手続補正３】
【補正対象書類名】明細書
【補正対象項目名】００１１
【補正方法】変更
【補正の内容】
【００１１】
この発明によれば、前記フィルタの一次側に設けられた前記吸引ノズルが前記フィルタに体積した異物を吸引することにより、前記フィルタから異物を除去することができる。
そして、バラスト水処理運転終了後、ケーシング内の水を排出し、前記フィルタを回転させながら前記高圧流体噴出ノズルから前記フィルタの外周面に高圧流体を噴出することにより、バラスト水処理運転で前記フィルタの内周面に堆積した異物を確実に剥離し除去することができる。また、前記差圧検出手段により検出された差圧が所定圧に達したとき、バラスト水処理運転を停止して前記ケーシング内の水を排出し、前記高圧流体噴出ノズルから高圧流体を噴出するようにしたので、バラスト水処理運転中における前記吸引ノズルによる吸引では前記フィルタから除去できない程に堆積した異物を、前記フィルタから確実に剥離し除去することができる。
【国際調査報告】
2015068246.tif 000006
2015068246.tif 000007
2015068246.tif 000008